(57)【要約】【課題】湾曲して嵩高になるつるを横向きにして、折り畳むメガネを提供する。【解決手段】一対のフレームに一対のレンズを嵌めてブリッジで結び、内側に鼻パットを設け、外側にＬ形金具及び蝶番を介してつるを設けたメガネにおいて、メス部とオス部を設けた蝶番のレンズ寄りの部の台座に軸孔をあけ、Ｌ形金具に軸を設けて嵌め、回転自在にかしめ、左右の台座を一方は上方に、他方を下方に回転させて横向きに折り畳むことを特徴とするメガネ。【選択図】図１
2006343743.tif 000002
【特許請求の範囲】
【請求項１】
一対のフレームに一対のレンズを嵌めてブッリジで結び、内側に鼻パットを設け、外側にＬ形金具及び蝶番を介してつるを設けたメガネにおいて、オス部とメス部を設けた蝶番のレンズ寄りの部の台座に軸孔をあけ、Ｌ形金具に設けた軸に嵌め、回転自在にかしめ、左右の台座を一方は上方に、他方は下方に回転させて横向きに折り畳むことを特徴とするメガネ。
【請求項２】
Ｌ形金具の軸のレンズ寄りにストッパーを設けた請求請１のメガネ。
【請求項３】
請求項１の残りの部の台座の下面に、円盤の中心に軸を立てた円盤軸を取り付け、台座にネジ通し孔をあけ、合成製樹脂製つるの内側を上向きにして先端から長手方向に円盤軸に対応した凸状溝を設け、円盤軸を差込、請求項１の台座を上方向に回転させ、円盤軸では下方に回転させ、Ｌ形金具とつるを結んだ状態で同一方向に重ね、つるを前後させて長さの調節が出来ることを特徴とする請求項１のメガネ。
【発明の詳細な説明】
【技術分野】
【０００１】  本発明は湾曲して嵩高になるつるを横向きにして、折り畳むメガネに関するものである。
【背景技術】
【０００２】  従来、蝶番は単につるを９０°曲げて折り畳むものであった。
【発明の開示】
【発明が解決しようとする課題】
【０００３】  そのために、次のような欠点があった。
（イ）ほぼ水平のつるを使用した場合、頭部に密着させるとつるが湾曲して、折り畳むと嵩が高くなりケースに入らない事があった。
（ロ）メガネの前部が下がりずらいようにつるの途中に頭部に係止する補助つる等を設けた時、つるの内側がレンズに対面している為に触れる事があった。
【課題を解決するための手段】
【０００４】  一対のフレームに一対のレンズを嵌めてブリッジで結び、内側に鼻パットを設け、外側にＬ形金具及び蝶番を介してつるを設けたメガネにおいて、オス部とメス部を設けた蝶番のレンズ寄りの部の台座に軸孔をあけ、Ｌ形金具に設けた軸に嵌め、回転自在にかしめ、左右の台座を一方は上方に、他方は下方に回転させて横向きに折り畳む。
【発明の効果】
【０００５】  つるを互い違いに横向きに倒して対面させることで嵩張らないし、補助つる等がレンズに触れる事がなくなる。
【発明を実施するための最良の形態】
【０００６】本発明の第１の実施の形態について図１から図４を用いて説明するが図面はもっぱら解説のためのもので技術的範囲を限定するものではない。
（イ）台座１１ａ・１１ａの上部に脚部１２ａ・１２ａを設け、その先端の端からネジを設けたネジ輪１３・１３、中央に隙間をあけてネジ通し孔をあけた孔輪１４ａ・１４ａを並べて取り付ける。そして台座１１ａ・１１ａのレンズ寄りの短辺の中心に軸孔１６・１６をあけ、そこを中心に短辺を半円にしてメス部１５・１５とする。
（ロ）台座１１ｂ・１１ｂの上部に脚部１２ｂ・１２ｂを設け、先端中央に孔輪１４ｂ・１４ｂを取り付けてオス部１７・１７とする。
（ハ）フレーム２・２やレンズ３・３を支えるＬ形金具６・６の内側に軸１８・１８を設ける。そして軸１８・１８にメス部１５・１５の軸孔１６・１６を通して回転自在にかしめる。
（ニ）オス部１７・１７を水平のつる９・９の先端内側に取り付け、メス部１５・１５とオス部１７・１７をネジ８・８で結び、回転蝶番７・７とする。本発明は以上の構成である。
この回転蝶番７・７を使ったつる９・９を用いたメガネ１の使用法は従来のメガネと同じである。折り畳む時は片手でメガネ１を持ち、もう一方の手でつる９・９の根元を持って、回転蝶番７・７の開閉機能を利用して内側に少し折り曲げ、次に回転蝶番７・７の回転機能を利用して、そのまま上方に９０°回し、内側に折り畳む、図３。メガネ１を回して持ち替え、もう一方のつる９・９も同じように回転蝶番７・７を少し内側に折り曲げ、そのまま下方に９０°回し、内側に折り畳む。最初に少し内側に折り曲げるのは、Ｌ形金具６・６に合わせめん２０・２０とつる９・９の合わせ面２１・２１が密着していれば微動だにしない。そのため少し曲げて密着を解いてから回転させる必要がある。そのことによってつる９・９は互い違いに対面し、９０°横向きになって嵩張らないし、レンズに触れる事もなくなる、図１。又Ｌ形金具６・６に軸１８・１８を設け、メス部１５・１５に軸孔１６・１６を設けたが、これを逆にしてＬ形金具６・６に軸孔１６・１６を設け、メス部１５・１５に軸１８・１８を設けても良い。
尚、図４に示すように軸１８・１８に環状溝２２・２２を設けて、Ｏリング２３・２３又はＣリング２４・２４を嵌めて取り付けても良い、図（ａ）。
【実施例】
【０００７】  図５から図３１に示す本発明の異なる実施の形態について説明するが、前記本発明の第１の実施の形態と同じ構成部分には、同一符号を付して重複する説明を省略する。図面は主としてＬがた金具、蝶番とつるに費やすが、それも解説のためのもので技術的範囲を限定するものではない。
【実施例１】
【０００８】  図５と図６に示す本発明の第２の実施の形態において、前記本発明の第１の実施の形態と主にに異なる点は、メス部１５・１５を設けた台座１１ａ・１１ａを９０°上下に回した時、行き過ぎないようにＬ形金具６・６にストッパー１９・１９を設けて台座１１ａ・１１ａの淵が当たるように新たなＬ形金具６Ａ・６Ａになった点で、このように形成されたＬ形金具６Ａ・６Ａと回転蝶番７・７を使ったつる９・９を用いて構成したメガネ１Ａにしても、前記本発明の第１の実施の形態と同じ作用効果が得られる。
【実施例２】
【０００９】  図７と図８に示す本発明の第３の実施の形態において、前記本発明の第１の実施の形態と主に異なる点は、台座１１ａ・１１ａをメス部１５・１５のネジ輪１３・１３と孔輪１４ａ・１４ａの下方迄伸ばして、中央を長形に切り取って差し込み口２５・２５を設け、更にＬ形金具６・６に溝２６・２６を設けてＬ形金具６Ｂ・６Ｂとする。そしてつる９・９に設けたオス部１７・１７の脚部１２ｂ・１２ｂの下方に差し込み口２５・２５及び溝２６・２６に嵌り込む凸部２７・２７を設けた点で、このように形成されたＬ形金具６Ｂ・６Ｂと回転蝶番７Ａ・７Ａを使ったつる９Ａ・９Ａを用いて構成したメガネ１Ｂにしても、前記本発明の第１の実施の形態と同じ作用効果が得られ、加えて使用中のつる９・９が下方へ回転する事が防げる。
【実施例３】
【００１０】  図９と図１０に示す本発明の第４の実施の形態において、前記本発明の第３の実施の形態と主に異なる点は、メス部１５・１５を取り付けているＬ形金具６・６の合わせ面２０・２０に凹形の切り込み２８・２８を設けて新たなＬ形金具６Ｃ・６Ｃとし、又オス部１７・１７を取り付けているつる９・９の合わせ面２１・２１に凸形の切り込み２７・２７を設けて新たなつる９Ｂ・９Ｂとして互いに嵌り込むようにした点で、このように形成したＬ形金具６Ｃ・６Ｃと回転蝶番７・７を使ったつる９Ｂ・９Ｂを用いて構成したメガネ１Ｃにしても、前記本発明の第３の実施の形態と同じ作用効果が得られる。
【実施例４】
【００１１】  図１１と図１２に示す本発明の第５の実施の形態において、前記本発明の第３の実施の形態と主に異なる点は、メス部１５・１５を取り付けているＬ形金具６・６の合わせ面２０・２０の内側を削って段２９・２９を設けて新たなＬ形金具６Ｄ・６Ｄとする。又オス部１７・１７を取り付けているつる９・９の合わせ面２１・２１の外側を削って段２９ａ・２９ａを設けて新たなつる９Ｃ・９Ｃとして重ねあわせるようにした点で、このように形成されたＬ形金具６Ｄ・６Ｄと回転蝶番７・７を使ったつる９Ｃ・９Ｃを用いて構成したメガネ１Ｄにしても、前記本発明の第３の実施の形態と同じ作用効果が得られる。
【実施例５】
【００１２】  図１３から図１５に示す本発明の第６の実施の形態において、前記本発明の第１の実施の形態と主に異なる点は、オス部１７・１７の台座１１ｂ・１１ｂの下面に、円盤の中心に軸を立てた円盤軸３０・３０を取り付け、円盤軸付きオス部３１・３１とし、更に台座１１ｂ・１１ｂにネジ通し孔３３・３３をあける。そして合成樹脂製つる９・９の内側を上向きにして先端から長手方向に円盤軸３０・３０に対応した凸状溝３４・３４を設けて円盤軸３０・３０を差し込む。そして台座１１ｂ・１１ｂのネジ通し孔３３・３３から細めのドリルで合成樹脂製つる９・９と全長に渡って埋没された芯金３５・３５に案内用のネジ通し孔をあけ、切削ネジ３６・３６で台座１１ｂ・１１ｂを仮止めした点である。円盤軸３０・３０を持つ台座１１ｂ・１１ｂは上下どちらでも回転出来るが仮止めしておく。使用者が試着する時、仮止めした切削ネジを外し、回転蝶番７・７の回転機能で合成樹脂製つる９・９ｋを上方向に回して垂直にし、次に円盤軸３０・３０の回転機能で下方に押し下げ水平に戻すと合成樹脂製つる９・９がＬ形金具６・６の上に重なる。その状態での円盤軸３０・３０は凸状溝３４・３４の中を前後に移動する事が出来るのである。したがって予め長めの合成樹脂製つる９・９を用いて試着し、後部を後頭部に合わせて密着させ、合成樹脂製つる９・９が台座１２ｂ・１２ｂより突き出した部分に印しを付けて切り落とし、再び合成樹脂製つる９・９に新たな案内用のネジ通し孔をあけ、切削ネジ３６・３６で固定した点で、このような円盤軸付き回転蝶番３２・３２を使った合成樹脂製つる９Ｄ・９Ｄを用いて構成したメガネ１Ｅにしても、前記本発明の第１の実施の形態と同じ作用効果が得られる。又同時につる９Ｃ・９Ｃの長さの調節機能分野も新たに加わった。
【実施例６】
【００１３】  図１６と図１７に示す本発明の第７の実施の形態において、前記本発明の第６の実施の形態と主に異なる点は、芯金３５・３５を埋没させた合成樹脂製つる９・９の末端に重り３７・３７を設けた点である。これは従来のメガネを前部が下がる事なく水平に保つ事は、西洋人のように高い鼻梁をっもたない人が多い東洋人の私たちはなかなか難しいことである。メガネを支える支点は前部では鼻梁にかける鼻パット５・５であり、後部では耳の股にかける合成樹脂製つる９・９である。この２点にしっかり支えられれば前部が下がる事は無いのであるが、前述したように多くの人の鼻梁が低い為に鼻パット５・５の機能が果たされていない。従来のメガネを耳の股のみの支点で支えて見ると、圧倒的に前部が重いのである。そこを是正したくて合成樹脂製つる９・９の末端に前部とバランスを取る為に重り３７・３７を設けた。レンズ３・３の厚みや種類によっても、又個々によって目から耳の股迄の長さが異なる為に試着し、前後に動かして一番安定する場所を見つけ、余った部分を切る捨てるようにした点で、このような重り３７・３７を使った合成樹脂製つる９Ｅ・９Ｅと円盤軸付きオス部３１・３１を用いて構成したメガネ１Ｆにしても、前記本発明の第６の実施の形態と同じ作用効果が得られる。
尚、重り３７・３７は前述した実施例１のメガネ、実施例２のメガネ１Ａ、実施例３のメガネ１Ｂ、実施例４のメガネ１Ｃに用いても良い。図１７の（ｂ）はメガネ１に用いたものである。
【実施例７】
【００１４】  図１８と図１９に示す本発明の第８の実施の形態において、前記本発明の第７の実施の形態と主に異なる点は、実施例５に記したように合成樹脂製つる９・９の長さの調節が出来るので、つる９・９の中程後部寄りの下面に耳の股３９・３９に引っかける凸状の耳止め４０・４０を設け、末端に重り３７・３７を設ける。試着して鼻パット５・５を鼻梁３８に触れるか触れない程度にして耳止め４０・４０を耳の股３９・３９の手前に当てて合成樹脂製つる９・９の長さを調節出来るようにした点である。そして耳止め４０・４０を設けたのは鼻パット５・５を鼻梁３８に触れるか触れない位にしたので、メガネをかける時、合成樹脂製つる９・９をでこまで差し込んで良いのか分からなくなる。そこで何時も同じ位置、同じ場所に合成樹脂製つる９・９が来るように当たりとして設けたもので、左右の偏りも防ぐことが出来る。鼻梁３８から耳の股３９・３９までの長さは個々によって異なるので正確な長さの測定が必要になる、その点では切削ネジ３６・３６を外し、折り重ねるだけで、掛けながら長さの計測が出来るのは便利である。このように重り３７・３７と耳止め４０・４０そして円盤軸付きオス部３１・３１を使った合成樹脂製つる９Ｆ・９Ｆを用いて構成したメガネ１Ｇにしても、前記本発明の第７の実施の形態と同じ作用効果が得られる。
【実施例８】
【００１５】  図２０と図２１に示す本発明の第９の実施の形態において、前記本発明の第８の実施の形態と主に異なる点は、実施例７に記した凸状の耳止め４０・４０に替わって合成樹脂製つる９・９の中程後部を上方にＬ字形に曲げて段差形耳止め４１・４１を設けた点で、このような段差形耳止め４１・４１と重り３７・３７そして円盤軸付きオス部３１・３１を使った合成樹脂製つる９Ｇ・９Ｇを用いて構成したメガネ１Ｈにしても、前記本発明の第８の実施の形態と同じ作用効果が得られる。
【実施例９】
【００１６】  図２２と図２３に示す本発明の第１０の実施の形態において、前記本発明の第８の実施の形態と主に異なる点は、実施例８に記した段差形耳止め４０・４０に替わって、合成樹脂製つる９・９の中程後部に半円状の切り込みを設けた切り込み形耳止め４２・４２を設けた点で、このような切り込み形耳止め４２・４２と重り３７・３７そして円盤軸付きオス部３１・３１を使った合成樹脂製つる９Ｈ・９Ｈを用いて構成したメガネ１Ｊにしても、前記本発明の第８の実施の形態と同じ作用効果が得られる。
【実施例１０】
【００１７】  図２４と図２５に示す本発明の第１１の実施の形態において、前記本発明の第７の実施の形態と主に異なる点は、合成樹脂製つる９・９の内側中程の芯金３５・３５に角形の突起４３・４３を取り付ける。そして弾力のある金属を湾曲させ、後部に角形の突起４３・４３に対応した角孔４４・４４をあけて嵌め込み、動かないようにかしめた点ある。この湾曲した金属は側頭部に係止する係止体４５・４５である。鼻パット５・５の替わりに耳の股３９・３９と並んで２つ目の支点となる。前部と後部のバランスは重り３７・３７を設ける事で解決するが、耳の股３９・３９だけでは、シーソーのようにふらふらするので第２の支点として設けたものである。このような係止体４５・４５と重り３５・３５そして円盤軸付きオス部３１・３１を使った合成樹脂製つる９Ｊ・９Ｊを用いて構成したメガネ１Ｋにしても、前記本発明の第７の実施の形態と同じ作用効果が得られる。
尚、前記した実施例８と実施例９の合成樹脂製つる９・９にも係止体４５・４５を取り付けても良い。
【実施例１１】
【００１８】  図２６と図２７に示すように本発明の第１２の実施の形態において、前記本発明の第１１の実施の形態と主に異なる点は、合成樹脂製つる９・９の中程後部寄りの下面に耳の股３９・３９の手前に引っかける凸状の耳止め４０・４０を設けた点で、このような耳止め４０・４０と係止体４３・４３と重り３５・３５そして円盤軸付きオス部３１・３１を使った合成樹脂製つる９Ｋ・９Ｋを用いて構成したメガネ１Ｌにしても、前記本発明の第１１の実施の形態と同じ作用効果が得られる。
【実施例１２】
【００１９】  図２８と図２９に示す第１３の実施の形態において、前記本発明の第１２の実施の形態と主に異なる点は、実施例１１に記した合成樹脂製つる９・９に設けた耳止め４０・４０の後方に従来の蝶番４６・４６を取る付けて、前後のバランスを取るために合成樹脂製つる９・９を延長した点で、このような延長合成樹脂製つる４８・４８を使った合成樹脂製つる９Ｌ・９Ｌを用いて構成したメガネ１Ｍにしても、前記本発明の第１２の実施の形態と同じ作用効果が得られる。
【実施例１３】
【００２０】図３０と図３１に示す第１４の実施の形態において、前記本発明の第１３の実施の形態と主に異なる点は、実施例１２に記した合成樹脂製つる９・９と延長合成樹脂製つる４７・４７を繋ぐ従来の蝶番４６・４６が内側に突き出して、使用しずらい為に芯金３５・３５を包む合成樹脂で合成樹脂製メス部４８・４８と合成樹脂製オス部４９・４９を設けて、ピン５０・５０で止めた点で、このような合成樹脂製蝶番５１・５１を使った合成樹脂製つる９Ｍ・９Ｍを用いて構成したメガネ１Ｎにしても、前記本発明の第１３の実施の形態と同じ作用効果が得られる。
【図面の簡単な説明】
【００２１】
【図１】本発明の第１の実施の形態の折り畳んだ斜視図。
【図２】本発明の第１の実施の形態の蝶番の取り付け状況の斜視図。
【図３】本発明の第１の実施の形態回転状況の斜視図。
【図４】本発明の第１の実施の形態の他の部材の取り付け状況と（ａ）は他の取り付け部材の斜視図。
【図５】本発明の第２の実施の形態のＬ形金具と蝶番の取り付け状況の斜視図。
【図６】本発明の第２の実施の形態のメガネの斜視図。
【図７】本発明の第３の実施の形態のＬ形金具、蝶番とつるの斜視図。
【図８】本発明の第３の実施の形態のメガネの斜視図。
【図９】本発明の第４の実施の形態のＬ形金具、蝶番とつるの斜視図。
【図１０】本発明の第４の実施の形態のメガネの斜視図。
【図１１】本発明の第５の実施の形態のＬ形金具、蝶番とつるの斜視図。
【図１２】本発明の第５の実施の形態のメガネの斜視図。
【図１３】本発明の第６の実施の形態のＬ形金具、蝶番とつるの斜視図。
【図１４】本発明の第６の実施の形態のつるの回転状況の斜視図。
【図１５】本発明の第７の実施の形態のメガネの斜視図。
【図１６】本発明の第７の実施の形態のつるの斜視図。
【図１７】本発明の第７の実施の形態のメガネの斜視図。（ｂ）他のメガネの斜視図。
【図１８】本発明の第８の実施の形態のつるの斜視図。
【図１９】本発明の第８の実施の形態のメガネを掛けた状態の斜視図。
【図２０】本発明の第９の実施の形態のつるの斜視図。
【図２１】本発明の第９の実施の形態のメガネの斜視図。
【図２２】本発明の第１０の実施の形態のつるの斜視図。
【図２３】本発明の第１０の実施の形態のメガネの斜視図。
【図２４】本発明の第１１の実施の形態のつるの斜視図。
【図２５】本発明の第１１の実施の形態のメガネの斜視図。
【図２６】本発明の第１２の実施の形態のつるの斜視図。
【図２７】本発明の第１２の実施の形態のメガネの斜視図。
【図２８】本発明の第１３の実施の形態のつるの斜視図。
【図２９】本発明の第１３の実施の形態のメガネの斜視図。
【図３０】本発明の第１４の実施の形態のつるの斜視図。
【図３１】本発明の第１４の実施の形態のメガネの斜視図。
【符号の説明】
【００２２】１、１Ａ、１Ｂ、１Ｃ、１Ｄ、１Ｅ、１Ｆ、１Ｇ、１Ｈ、１Ｊ、１Ｋ、１Ｌ、１Ｍ、１Ｎ：メガネ                                        ２：フレーム
３：レンズ                                      ４：ブリッジ
５：鼻パット            ６、６Ａ、６Ｂ、６Ｃ、６Ｄ：Ｌ形金具
７、７Ａ：回転蝶番                              ８：ネジ
９、９Ａ、９Ｂ、９Ｃ、９Ｄ、９Ｅ、９Ｆ、９Ｇ、９Ｈ、９Ｊ、９Ｋ，９Ｌ，９Ｍ、９Ｎ：つる                                        １０：補助つる
１１ａ、１１ｂ：台座                １２ａ、１２ｂ：脚部
１３：ネジ輪                        １４ａ、１４ｂ：孔輪
１５：メス部                                  １６：軸孔
１７：オス部                                  １８：軸
１９：ストッパー                              ２０：Ｌ形金具の合わせ面
２１：つるの合わせ面                          ２２：環状溝
２３：Ｏリング                                ２４：Ｃリング
２５：差込口                                  ２６：溝
２７：凸部                                    ２８：凹部切り込み
２９、２９ａ：段                              ３０：円盤軸
３１：円盤軸付オス部                          ３２：円盤軸付回転蝶番
３３：ネジ通し孔                              ３４：凸状溝
３５：芯金                                    ３６：切削ネジ
３７：重り                                    ３８：鼻梁
３９：耳の股                                  ４０：耳止め
４１：段差形耳止め                            ４２：切り込み形耳止め
４３：角形の突起                              ４４：角孔
４５：係止体                                  ４６：従来の蝶番
４７：延長合成樹脂製つる                      ４８：合成樹脂製メス部
４９：合成樹脂製オス部                        ５０：ピン
５１：合成樹脂製蝶番
【図１】
2006343743.tif 000003
【図２】
2006343743.tif 000004
【図３】
2006343743.tif 000005
【図４】
2006343743.tif 000006
【図５】
2006343743.tif 000007
【図６】
2006343743.tif 000008
【図７】
2006343743.tif 000009
【図８】
2006343743.tif 000010
【図９】
2006343743.tif 000011
【図１０】
2006343743.tif 000012
【図１１】
2006343743.tif 000013
【図１２】
2006343743.tif 000014
【図１３】
2006343743.tif 000015
【図１４】
2006343743.tif 000016
【図１５】
2006343743.tif 000017
【図１６】
2006343743.tif 000018
【図１７】
2006343743.tif 000019
【図１８】
2006343743.tif 000020
【図１９】
2006343743.tif 000021
【図２０】
2006343743.tif 000022
【図２１】
2006343743.tif 000023
【図２２】
2006343743.tif 000024
【図２３】
2006343743.tif 000025
【図２４】
2006343743.tif 000026
【図２５】
2006343743.tif 000027
【図２６】
2006343743.tif 000028
【図２７】
2006343743.tif 000029
【図２８】
2006343743.tif 000030
【図２９】
2006343743.tif 000031
【図３０】
2006343743.tif 000032
【図３１】
2006343743.tif 000033